(57)【要約】【課題】  本発明が解決しようとする課題は、作曲者からの楽曲情報（広義の楽譜）や、即興演奏を行う際の、演奏者への情報伝達手段をより拡大し、より多様性のある情報伝達を実現するものである。【解決手段】  課題を解決するために、本発明は温度表示部を楽器に設け、これを制御することで視聴覚によらない温度感覚を媒介として情報の伝達を行い、その温度または温度変化によって、演奏者に対応音における情報を表示することを特徴としている。【選択図】図１
2006215505.tif 000002
【特許請求の範囲】
【請求項１】
楽器に搭載される表示装置であって、演奏者との接触部の温度を変化させる変化手段とその温度を制御する制御手段を備える表示装置。
【請求項２】
前記楽器は鍵盤楽器であることを特徴とする請求項１記載の表示装置。
【請求項３】
前記制御手段は作曲者の意図を記したデータに基づいて温度を制御することを特徴とする請求項１または請求項２記載の表示装置。
【請求項４】
前記制御手段は音の協和・不協和に基づいて温度を制御することを特徴とする請求項１または請求項２記載の表示装置。
【発明の詳細な説明】
【技術分野】
【０００１】  この発明は、楽器に搭載される表示装置に関する技術である。
【背景技術】
【０００２】  現代音楽における図形楽譜まで含めた広義の楽譜を考えるとき、楽譜は音楽情報の記録だけを目的とはしていない。楽譜というのは、音楽生成を目的として演奏者を触発するメディアであり、また作曲行為とはその触発を意図しながらそのメディアをデザインし、同時にそこに音楽情報という「制約」を選択的に埋め込む作業であるといえる。【０００３】  このように、楽譜の目的が音楽の正確な記録ではなく、前記のような制約と触発であるならば、今日においては紙に記録された静的なメディアにとどまる必要はなく、視覚的なものにこだわる必要もない。
【発明の開示】
【発明が解決しようとする課題】
【０００４】  通常、楽譜は視覚的なものとして伝達される。しかし、視覚的であることに起因するデメリットや、非視覚的な経路による伝達の方がより適切であると考えられるケースも、少なからず存在する。【０００５】  例えば、演奏者がしばしば目を閉じて演奏を行うのは、視覚情報の処理にかかる負担を低減して、聴覚や楽器制御に必要な触覚を鋭敏にしようとしているからではないだろうか。また、音楽における「激しさ」や楽譜がもたらす制約の「重み」など、視覚以外の表現を用いることでより直感的に伝達できる可能性のある音楽情報も多い。
【課題を解決するための手段】
【０００６】  本発明は、楽器のための表示装置であって、演奏者との接触部の温度を変化させる変化手段と温度を制御する制御手段を備えることを特徴とする。【０００７】  これにより、確実に情報伝達が可能であり、それは非視覚的・直感的なマッピングが可能となる。【０００８】  前記楽器は鍵盤楽器であることを特徴とする。【０００９】  音高と鍵盤位置が対応した楽器を用いる場合は、各音高に関する情報を表示することができる。【００１０】  作曲者の意図を記したデータに基づいて温度を変化させることを特徴とする。【００１１】  これにより、温度感覚による動的な楽譜を実現することができる。【００１２】  前記制御手段は音の協和・不協和に基づいて温度を変化させることを特徴とする。【００１３】  これにより、音の不協和を避けたり、それを意図した即興演奏を行うための支援が可能となる。
【発明の効果】
【００１４】  本発明により、温度感覚により拡張された音楽記譜表現、音楽演奏表現、そして音楽の学習を可能にする。
【発明を実施するための最良の形態】
【００１５】  本発明の表示装置は図１のように温度表示部１ａと温度制御部１ｂを備える。【００１６】  温度を媒介とした情報伝達にはペルチェ素子に代表されるような温度変化手段１ｃを用い、温度感覚を用いた表示装置として機能させる。例えばこれを鍵盤楽器に適用した場合は、温度変化手段を全ての鍵盤に敷きつめる。【００１７】  表示装置は、ＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）に代表されるような制御信号４によりコンピュータ２などから制御される。制御信号を受信すると、温度制御装置部１ｂによって該当する温度変化手段１ｃに電流が流れるのである。つまりこの場合、通常は入力機器としての特性しかもたない鍵盤に、情報を温度として提示する出力機器としての特性も加えたものである。演奏者３と楽器がインタラクションを行っているまさにその接点において、演奏者に対して各種の情報を与えることができる。
【実施例】
【００１８】  （第１の実施の形態）  本発明は、温度感覚を用いた非視覚的な楽譜としてとらえることができる。この場合、温度感覚を用いる第１の理由は、ｃｏｎ  ｆｕｏｃｏ（炎のように）といった音楽用語からも示唆されるように、音楽の情動表現と温度感覚は直感的に連結している側面があるからである。また、第２の理由として、温度を用いて情報を伝達する場合、量的に変化する情報や持続的な情報を伝えることが可能なため、同期信号以上の情報伝達が可能になると考えたためである。こうした性質をもつ情報は、極めて「音楽的」であると考えられる。【００１９】  ＭＩＤＩシーケンサに代表されるような機器と本発明を接続させ、各鍵盤の時系列的な温度変化をあらかじめ制作すれば、これは即興演奏における一種の制約として機能すると期待される。例えばある温度変化手段を高温に加熱すると、演奏者はその温度変化手段を長時間押し続けることが困難となり音長が短くなるため、結果としてこの音は他の音に向かう経過音になるわけである。このように長時間持続してほしくない音を熱の制約として伝達する場合には、図２のように作曲者が許容する音詳がある場合は、図３のように本発明において「その音以外」の鍵盤を加熱すればよい。また、個々の鍵盤をそれぞれ異なる温度に加熱または冷却すれば、一種の「曲想」も表示可能となり、これによって演奏者への音楽的触発効果も期待できる。【００２０】  （第２の実施の形態）  また、本発明は、温度感覚を用いた楽譜としてだけでなく、即興演奏を支援する装置としての利用も可能である。【００２１】  即興演奏の初心者が特に困難としているのは音全体の響きを聞いて理解する過程であり、次に演奏すべき音を自信をもって決定できる判断材料を見いだしにくいところにある。その判断の一助として、音楽理論が利用できる。つまり、もしそれぞれの音が音楽理論的に適合しているかどうかをシステムが提示すれば、演奏者にとって有益となる可能性がある。例えば、ジャズや軽音楽で一般に用いられている和声理論であるバークリー理論は、和声進行の分析に基づき、各時点における１２個の各音の「協和度」を求めるものである。協和度の高い音は、アベイラブル・ノート・スケールとよばれる。【００２２】  バークリー理論に基づいて即興演奏を支援する場合、本発明は楽曲中の各時点での和声におけるアベイラブル・ノート・スケール以外の鍵盤を加熱することによって不協和度の高い音を演奏者に提示する。演奏者は、鍵盤に触れたときのみその温度を知覚するため、結果としてこのシステムはその音に関する情報だけを選択的に、そして打鍵直後に伝達するメディアとなっている。本発明は、演奏者に対して打鍵前に制約を与えることもなく、ただ打鍵直後に温度を媒介とした「助言」を行うわけである。【００２３】  その他、本発明により表示する情報には、指揮者からの情報伝達や、観客からの熱気を演奏者に伝達する手段など様々なものが考えられる。
【図面の簡単な説明】
【図１】  本発明の表示装置である。
【図２】  本発明を楽譜として用いる場合の作曲者が想定する音群の例である。
【図３】  作曲者が想定する音群に対応する温度楽譜の例である。
【符号の説明】
１      本発明の表示装置全体
１ａ    温度表示部
１ｂ    温度制御部
１ｃ    温度変化手段
２      コンピュータ
３      演奏者
４      制御信号
【図１】
2006215505.tif 000003
【図２】
2006215505.tif 000004
【図３】
2006215505.tif 000005